(57)【要約】盗難防止を図るとともに、操作性や視認性の良好なパネルを備えた電子機器を提供する。筐体と、その前面側に設けられた第一パネルと第二パネルとを備え、第一パネルの一方の面には操作部を、第二パネルの一方の面には表示部を備え、第一パネルの他方の面には筐体の前面を隠蔽可能なパネルカバーを備える。筐体内には、その前後方向に移動可能なスライダを設け、第一パネルと第二パネルとが筐体側に収納されているときにこれら第一パネルと第二パネルとをそれらの操作部及び表示部が対向する状態に筐体の上下方向に起立させて保持させ、スライダが前方に移動したときに第一パネルをその上端部が筐体の前方に向かうように回転させるとともに第二パネルをその上端部が筐体の後方に向かうように回転させるパネル回転手段を設ける。
2004024509.tif 000002
【特許請求の範囲】
【請求項１】
機器本体を収納した筐体と、前記筐体の前面側に設けられた第一パネルと、その第一パネルの後方に設けられた第二パネルとを備える電子機器であって、
前記第一パネルの一方の面には操作部が備えられ、第二パネルの一方の面には表示部が備えられているとともに、前記第一パネルの他方の面には前記筐体の前面を隠蔽することが可能なパネルカバーが備えられていて、
前記筐体内の下部には、前記第一パネルと第二パネルとがそれらの下端部を回転軸としてそれぞれ独立に回転できるように連結された、前記筐体の前後方向に移動可能なスライダが設けられ、
前記スライダには、前記第一パネルと第二パネルとが筐体側に収納されているときに、これら第一パネルの操作部と第二パネルの表示部が対向する状態に筐体の上下方向に起立させて保持し、このスライダが前方に移動したときに、前記第一パネルをその上端部が筐体の前方に向かうように回転させるとともに前記第二パネルをその上端部が筐体の後方に向かうように回転させて、前記第一パネルの操作部及び第二パネルの表示部を使用可能な状態に展開させるパネル回転手段が設けられていることを特徴とする電子機器。
【請求項２】
前記スライダが前記筐体から最も前方に移動したときに、前記第一パネルの操作部と第二パネルの表示部はほぼ平らな状態に展開されることを特徴とする請求項１に記載の電子機器。
【請求項３】
前記第一パネルの操作部には操作ボタンが設置されており、前記第二パネルの表示部には画面表示器が設置されていることを特徴とする請求項１または請求項２に記載の電子機器。
【請求項４】
前記第一パネルをその上端部が筐体の前方に向かうように回転させるパネル回転手段は、前記スライダに取り付けられた駆動部により前記第一パネルの下端部の回転軸を回転させる機構であり、
前記第二パネルをその上端部が筐体の後方に向かうように回転させるパネル回転手段は、前記第二パネルの上端部付近に回転自在に取り付けられたアームの先端部を、前記スライダが筐体の前方に移動するにつれて前記筐体内の上部から下部に向かって移動させる機構であることを特徴とする請求項１乃至請求項３の何れかに記載の電子機器。
【請求項５】
前記筐体内の前記第二パネルより後方に、前記第二パネルの上端部が前記筐体の後方に向かうように回転したときに、前記筐体とこの第二パネルの上端部との間に生じる間隙を通して記録媒体を出し入れするための記録媒体出入口を有する機器本体が収納されていることを特徴とする請求項１乃至請求項４の何れかに記載の電子機器。
【請求項６】
前記スライダには、前記スライダが前記筐体の前方に移動したときに、前記第一パネル及び前記第二パネルの回転角度を調節するためのパネル角度調節手段が設けられていることを特徴とする請求項１乃至請求項５の何れかに記載の電子機器。
【請求項７】
前記第一パネルのパネル角度調節手段は、前記スライダに取り付けられた駆動部により前記第一パネルの下端部の回転軸を回転させる機構であり、
前記第二パネルのパネル角度調節手段は、前記第二パネルの上端部付近に回転自在に取り付けられたアームの先端部を、前記スライダが筐体の前方に移動するにつれて前記筐体内の上部から下部に向かって移動させる機構であることを特徴とする請求項４乃至請求項６の何れかに記載の電子機器。
【請求項８】
前記第一パネルの回転角度は上下方向に起立した位置からほぼ１８０°の範囲内において調節することができ、また、前記第二パネルの回転角度は上下方向に起立した位置からほぼ９０°の範囲内において調節することができることを特徴とする請求項７に記載の電子機器。
【請求項９】
前記パネルカバーは、前記第一パネルに対して着脱可能に取り付けられていることを特徴とする請求項１乃至請求項８の何れかに記載の電子機器。
【発明の詳細な説明】
【技術分野】  本発明は、操作ボタンや画面表示器をなどを備えるパネルを設けた電子機器に関する。
【背景技術】  従来、操作ボタンや画面表示器などを備えるパネル（操作パネル）が前面に設けられ、この操作パネルが可動的に構成されている電子機器が知られており、例えば、カーオーディオや液晶テレビ、カーナビゲーションシステムなどに利用されている。
特に車載用などの用途に用いられる電子機器においては、盗難防止を図るため、種々の工夫がなされている。
例えば、日本国特許公開公報Ｎｏ．１２３８４２／１９９７に開示されている車載用電子機器は、機器本体に備えられた駆動機構により、前面に配置された操作パネルが次第に回転し、操作パネルの裏面を正面に向けて停止する。すなわち、車載用電子機器が車両の設置個所に格納された状態で、操作パネルがその裏面を正面に向けて停止することにより、車両に機器が設置されていないように第三者に見せることで、盗難防止を図ったものである。
また、日本国特許公開公報Ｎｏ．２０２７６４／２００１に開示されている車載用電子機器は、操作パネルを着脱することが可能なホルダを上記のように回転可能とすることで、操作パネルを取り外すと車載用電子機器が使用不可能な状態となるとともに、操作パネルの設置場所を隠蔽することで、第三者による盗難の対象となりにくくしたものである。
しかし、前記二つの特許文献に開示された車載用電子機器では、操作パネルの側方にこの操作パネルを回転させる機構が設けてあるので、電子機器の筐体前面全体の面積に比して、操作パネルの面積が小さくなってしまい、操作ボタンの操作性が悪化したり、画面表示部が小さくなってしまったりする問題があった。
また、操作ボタンや画面表示部などが同一面上に備えられているために、それぞれ独立して角度を調整することが出来ず、表示画面が見づらく、ボタン操作がしにくいという問題もあった。
【発明の開示】
本発明の課題は、盗難防止を図るとともに、操作性や視認性の良好なパネルを備えた電子機器を提供することである。
上記課題を解決するため、
請求項１に記載の発明は、機器本体を収納した筐体と、前記筐体の前面側に設けられた第一パネルと、その第一パネルの後方に設けられた第二パネルとを備える電子機器であって、
前記第一パネルの一方の面に操作部が備えられ、前記第二パネルの一方の面には表示部が備えられているとともに、前記第一パネルの他方の面には前記筐体の前面を隠蔽することが可能なパネルカバーが備えられていて、
前記筐体内の下部には、前記第一パネルと第二パネルとがそれらの下端部を回転軸としてそれぞれ独立に回転できるように連結された、前記筐体の前後方向に移動可能なスライダが設けられ、
前記スライダには、前記第一パネルと第二パネルとが筐体側に収納されているときに、これら第一パネルと第二パネルとを前記操作部及び表示部が対向する状態に筐体の上下方向に起立させて保持し、このスライダが前方に移動したときに、前記第一パネルをその上端部が筐体の前方に向かうように回転させるとともに、前記第二パネルをその上端部が筐体の後方に向かうように回転させて、前記第一パネルの操作部及び第二パネルの表示部を使用可能な状態に展開させるパネル回転手段が設けられていることを特徴とする。
請求項２に記載の発明は、請求項１に記載の発明において、
前記スライダが前記筐体から最も前方に移動したときに、前記第一パネルの操作部と第二パネルの表示部はほぼ平らな状態に展開されることを特徴とする。
請求項３に記載の発明は、請求項１または請求項２に記載の発明において、
前記第一パネルの操作部には操作ボタンが設置されており、前記第二パネルの表示部には画面表示器が設置されていることを特徴とする。
請求項４に記載の発明は、請求項１乃至請求項３の何れかに記載の発明において、
前記第一パネルをその上端部が筐体の前方に向かうように回転させるパネル回転手段は、前記スライダに取り付けられた駆動部により前記第一パネルの下端部の回転軸を回転させる機構であり、前記第二パネルをその上端部が筐体の後方に向かうように回転させるパネル回転手段は、前記第二パネルの上端部付近に回転自在に取り付けられたアームの先端部を、前記スライダが筐体の前方に移動するにつれて前記筐体内の上部から下部に向かって移動させる機構であることを特徴とする。
請求項５に記載の発明は、請求項１乃至請求項４の何れかに記載の発明において、
前記筐体内の前記第二パネルより後方に、前記第二パネルの上端部が前記筐体の後方に向かうように回転したときに、前記筐体とこの第二パネルの上端部との間に生じる間隙を通して記録媒体を出し入れするための記録媒体出入口を有する機器本体が収納されていることを特徴とする。
請求項６に記載の発明は、請求項１乃至請求項５の何れかに記載の発明において、
前記スライダには、前記スライダが前記筐体の前方に移動したときに、前記第一パネル及び前記第二パネルの回転角度を調節するためのパネル角度調節手段が設けられていることを特徴とする。
請求項７に記載の発明は、請求項４乃至請求項６の何れかに記載の発明において、
前記第一パネルのパネル角度調節手段は、前記スライダに取り付けられた駆動部により前記第一パネルの下端部の回転軸を回転させる機構であり、前記第二パネルのパネル角度調節手段は、前記第二パネルの上端部付近に回転自在に取り付けられたアームの先端部を、前記スライダが筐体の前方に移動するにつれて前記筐体内の上部から下部に向かって移動させる機構であることを特徴とする。
請求項８に記載の発明は、請求項７に記載の発明において、
前記第一パネルの回転角度は上下方向に起立した位置からほぼ１８０°の範囲内において調節することができ、また、前記第二パネルの回転角度は上下方向に起立した位置からほぼ９０°の範囲内において調節することができることを特徴とする。
請求項９に記載の発明は、請求項１乃至請求項８の何れかに記載の発明において、
前記パネルカバーは、前記第一パネルに対して着脱可能に取り付けられていることを特徴とする。
【図面の簡単な説明】  第１図は、本発明に係る電子機器の一例の動作を示す斜視図である。
第２図は、本発明に係る電子機器の一例の動作を示す側面図である。
第３図は、本発明に係る電子機器の一例の分解斜視図である。
第４図は、第３図の要部を示す分解斜視図である。
【発明を実施するための最良の形態】  以下、本発明に係る電子機器の実施の形態について、車輌に取り付けられる電子機器を例として図面を用いて説明する。以下の説明における前後左右上下方向は、車輌の室内から操作すべき電子機器を見た方向を示す。
第１図、第２図は、本実施の形態の電子機器１の動作を示す斜視図、側面図である。第３図は、電子機器１の分解斜視図であり、第４図は、第３図の要部を示す分解斜視図である。
第１図〜第４図に示すように、電子機器１は、車輌のダッシュボード（図示省略）に取り付けられる１ＤＩＮ（ディン）サイズのカーオーディオ、カーナビゲーションシステムなどとして用いられるものであって、筐体２と、この筐体２の前面側に設けられた第一パネル（外側パネル）３と、その後方に設けられた第二パネル（内側パネル）４とを備えている。
筐体２内の下部には、第１図、第２図に示すように、この筐体２の前後方向にスライドすることが可能なスライダ５が設けられている。第３図に示すように、スライダ５の底面には溝５ｃが形成されており、この溝５ｃが筐体２の底面から突出する突起２ａに係合することで、スライダ５が筐体２の前後方向に滑らかにスライドするようになっている。
スライダ５には、第３図に示すようにラック５ｂが固定されており、筐体２の側面に固定されたピニオン１３ａと咬合している。ピニオン１３ａがモータ１３ｍの動作によって回転すると、第１図、第２図に示すように、スライダ５が筐体２の前後方向にスライドするようになっている。
スライダ５には、第２図に示すように、第一パネル３と第二パネル４とが、それらの下端部のピン３ｒ，４ｒを回転軸としてそれぞれ独立に回転できるように連結されている（第３図、第４図では、第一パネル３と第二パネル４のホルダ３ｈ，４ｈの下端部が、スライダ５にピンで回転自在に取り付けられている状況を示している）。
第一パネル３と第二パネル４の一方の面には、第１図、第２図に示すように、それぞれ操作部３ａ、表示部４ａが備えられている。そして、操作部３ａには操作ボタンが、表示部４ａには画面表示器がそれぞれ設置されている。また、第一パネル３の操作部３ａが備えられた面と反対側の面には、第一パネル３と第二パネル４とが筐体２側に収容されたときに筐体２の前面を隠蔽することが可能なパネルカバー３ｂが備えられている。
パネルカバー３ｂは、スライダ５が筐体２の前方に突出している状態において、第１図（ｂ）に示すように、第一パネル３に着脱可能に取り付けられている。
第一パネル３と第二パネル４は、これらが筐体２側に収容された状態では、第１図（ａ）、第２図（ａ）に示すように、それらの操作部３ａ及び表示部４ａが対向する状態に筐体２の上下方向に起立する状態にスライダ５に保持されて、第一パネル３のパネルカバー３ａにより筐体２の前面が隠蔽される。
また、スライダ５が筐体２の前方に移動したときには、第１図（ｂ），（ｃ）、第２図（ｂ），（ｃ）に示すように、第一パネル３がその上端部が筐体２の前方に向かうように下端部のピン３ｒを中心として回転するとともに、第二パネル４がその上端部が筐体２の後方に向かうように下端部のピン４ｒを中心として回転して、第一パネル３の操作部と第二パネル４の表示部が使用可能となるように展開された状態となる。
筐体２の内部には、第１図、第２図に示すように、ＣＤ、ＣＤ−ＲＯＭ、ＤＶＤ、ＭＤ、カセットテープ等の記録媒体Ｍの再生装置などを備える機器本体１１が収容されている。
第１図（ｃ）、第２図（ｃ）に示すように、スライダ５が筐体２の前方に最も突出した状態では、第一パネル３と第二パネル４とはスライダ５に対してほぼ平らな状態となる。この状態で、筐体２と第二パネル４の上端部との間に生じる間隙を通して、機器本体１１に備えられた記録媒体出入口１１ａに記録媒体Ｍを出し入れすることが可能とされている。
第一パネル３のホルダ３ｈには、第２図、第３図に示すように、その下端部のピン３ｒと軸を同じくするプーリ３ｐが固定されている。そして、スライダ５のスライド方向に沿って、プーリ３ｐとその後方に設けられたプーリ１０ａとの間に、パネル回転ベルト１０が架けられている。
スライダ上には、このパネル回転ベルト１０を駆動させるベルト駆動部１２が取り付けられている。ベルト駆動部１２のモータ１２ｍが動作すると、その回転がギヤ１２ａを介して、プーリ１０ａを回動させる。そして、第一パネル３がその下端部のピン３ｒを軸として回転するようになっている。
ベルト駆動部１２はカバー１２ｂで覆われており、スライダ５とともにベルト駆動部１２が筐体２内を移動しても、ベルト駆動部のギヤが筐体２内の配線などに当たることが防止されている。
筐体２内面の側壁には、第２図〜第４図に示すように、筐体２の前後方向に沿って、カム溝６ａを備えたカム６が取り付けられている。このカム溝６ａは、筐体２の前方側先端部が下方へ折れ曲がる形状に穿設されている。
スライダ５の側面には、第２図〜第４図に示すように、スライダ５のスライド方向に沿ってスライダ溝５ａが形成されている。このスライダ溝５ａは、筐体２の前方側先端部が上方に折れ曲がる形状に穿設されている。
スライダ５の側面にピン４ｒで固定された第二パネル４の上端部の側面には、第２図〜第４図に示すように、この第二パネル４を回転させるためのアーム７の先端部が、ピン７ｂで回転自在に取り付けられている。
アーム７の他端部にはピン７ａが形成され、第４図に示すように、このピン７ａに回転自在に、アームブラケット８のピン８ａが取り付けられている。アームブラケットには、もう一つのピン８ｂが形成されている。そして、ピン８ａ，８ｂが、アームのピン７ａとともに、スライダ溝５ａに沿ってスライドするようになっている。
アーム７のピン７ａ近傍とアームブラケットのピン８ｂ近傍とには、図４に示すように、それぞれ切欠７ｃ，８ｃが形成されており、この切欠７ｃ，８ｃの間にアームスプリングが引っ架けられて、アームブラケット８がアーム７に引き寄せられるようになっている。このため、第２図（ａ），（ｂ）に示すように、アームブラケット８に外力が作用しない状態では、アームブラケット８はスライダ溝５ａの、筐体２の前方側先端部に位置し続け、アーム７のスライダ５に対する角度が保持されるようになっている。
第２図（ａ）〜（ｃ）を参照して、電子機器１の第一パネル３、第二パネル４、スライダ５の動作を説明する。
第２図（ａ）に示すように、スライダ５が筐体２側に完全に収容された状態では、上記の通り、第一パネル３と第二パネル４とが筐体２の上下方向に起立する状態にスライダ５に保持されて、第一パネル３のパネルカバー３ａにより筐体２の前面が隠蔽されている。この状態で、アーム７のピン７ａとアームブラケット８のピン８ａとは、スライダ５のスライダ溝５ａの最前部に位置し、カム６のカム溝６ａの最後部に位置している。
第２図（ｂ）に示すように、所定の操作によりスライダ５を筐体２の前方に移動させると、これに取り付けられた第一パネル３と第二パネル４の下端部も同様に筐体２の前方に移動する。
この途中で、アーム７のピン７ａとアームブラケット８のピン８ａとは、カム６のカム溝６ａに沿って移動して最前部に当たり、停止する。これにより、アーム７のピン７ａとアームブラケットのピン８ａは、スライダ５のスライダ溝５ａの高さまで下がる。さらに、スライダ５が筐体２の前方に移動すると、第二パネル４の上端部が下端部に対して後方に傾いた状態となる。
また、この際、パネル回転ベルト１０の動作により、第一パネル３は、その上端部が筐体２の前方に向かうように回転し、スライダ５のスライド方向とほぼ平行な角度で停止し、操作部３ａが第一パネル３の上側に露出する状態となる。
この状態で、操作部３ａに設置された操作ボタンを操作することにより、パネル回転ベルト１０を駆動させ、第一パネル３の角度を調整することができる。
操作部３ａに設置された操作ボタンを操作することにより、第２図（ｃ）に示すように、アーム７のピン７ａとアームブラケット８のピン８ａとが、カム６のカム溝６ａに沿って移動して最前部に当たった状態で停止したまま、スライダ５が筐体２の前方に移動することで、第二パネル４がスライダ５に対してほぼ平らな状態となる。この状態で、筐体２と第二パネル４の上端部との間に生じる間隙を通して、機器本体１１に備えられた記録媒体出入口１１ａに記録媒体Ｍを出し入れすることが可能となる。
このように、本実施の形態の電子機器１によれば、第一パネル３と第二パネル４とが筐体２側に収容された状態において、前記両パネルの操作部３ａ及び表示部４ａが内側に対向するので、外部からのほこりの付着や、盗難などを防ぐことが可能である。
また、第一パネル３と第二パネル４とが展開することにより、操作部３ａに設置された操作ボタンと表示部４ａに設置された画面表示器とが筐体２の前方に露出するように構成されているので、一枚のパネルに操作ボタンや画面表示器を設け、これを半回転させて内側に収納させるものに比べて、盗難防止を図りつつ、操作ボタン類の設置部や画面表示部を大きく形成することができ、操作性の良好な電子機器となる。
さらに、第一パネル３と第二パネル４とは、独立して角度を変更できるため、第一パネルの操作部３ａに設置された操作ボタンを押しやすい角度に調節できるとともに、第二パネルの表示部４ａ上の画面表示器を見やすい角度に調節できる。
また、電子機器１では、記録媒体出入口１１ａは、第一パネル３、第二パネル４の後方となる筐体２内部に備えられた機器本体１１の前面に設けられているが、第一パネル３と第二パネル４を、筐体２の前方へ、スライダ５に対してほぼ平らな状態に回転させることができるので、このとき筐体２と第二パネル４の上端部との間に生じる間隙を通して記録媒体出入口１１ａに対して記録媒体Ｍの出し入れを行うことができる。
したがって、記録媒体出入口１１ａを第一パネル３、第二パネル４が筐体２側に収容された状態のときに筐体２の前面に露出させておく必要がなく、その分のスペースをパネルが専有できることとなって、より大きなパネルを設けることができる。
さらに、第一パネル３のパネルカバー３ｂは、第一パネル３に対して着脱可能な構造となっているので、必要に応じて第一パネル３から取り外した状態で、第一パネル３と第二パネル４とを筐体２側に収容することにより、第一パネル３の内部構造を露出させ、電子機器の部品が欠落しているように見せかけることなどによって、盗難防止を図ることができる。
なお、本発明は上記の実施の形態に限定されることなく、本発明の主旨を逸脱しない範囲において、種々の改良並びに設計の変更を行ってもよい。
例えば、本実施の形態では、本発明をカーオーディオに適用した例を挙げたが、本発明はこれに限定されず、一般のオーディオ機器、小型或いは携帯テレビ、カーナビゲーション装置、その他各種計測装置や家電製品などにも適用可能である。
その他、具体的な細部構造などについても適宜に変更可能であることは勿論である。
【発明の効果】
本発明によれば、第一パネルと第二パネルとが筐体側に収容された状態において、これら第一パネルに備えられた操作部と第二パネルに備えられた表示部が内側に対向するので、外部からのほこりの付着や、盗難などを防ぐことが可能である。
また、第一パネルと第二パネルとが展開することにより、これら第一パネルの操作部と第二パネルの表示部が筐体の前方に露出するように構成されているので、一枚のパネルに操作ボタンや画面表示器を設け、これを半回転させて内側に収納させるものに比べて、盗難防止を図りつつ、操作ボタンや画面表示器を大きく形成することができ、操作性の良好な電子機器となる。
【図１】
2004024509.tif 000003
【図２】
2004024509.tif 000004
【図３】
2004024509.tif 000005
【図４】
2004024509.tif 000006
【手続補正書】
【提出日】平成17年3月16日(2005.3.16)
【手続補正１】
【補正対象書類名】特許請求の範囲
【補正対象項目名】全文
【補正方法】変更
【補正の内容】
【特許請求の範囲】
【請求項１】
機器本体を収納した筐体（２）と、前記筐体の前面側に設けられた第一パネル（３）と、その第一パネルの後方に設けられた第二パネル（４）とを備える電子機器であって、
前記第一パネルの一方の面には操作部が備えられ、第二パネルの一方の面には表示部が備えられているとともに、前記第一パネルの他方の面には前記筐体の前面を隠蔽することが可能なパネルカバー（３ｂ）が備えられており、
前記筐体内の下部に設けられた前記筐体の前後方向に移動可能なスライダであって、前記第一パネルと第二パネルとがそれらの下端部を回転軸（３ｒ、４ｒ）としてそれぞれ独立に回転できるように連結されているスライダ（５）が設けられ、
前記第一パネルと第二パネルとが筐体側に収納されているときに、前記第一パネルの操作部と第二パネルの表示部が対面する状態に筐体の前面に起立して前記第一と第二のパネルが並置されており、
前記スライダの移動位置とは独立に、前記第一パネルの回動位置を制御するよう該第一パネルを回動させるモータ（１２ｍ）、
前記スライダの前方への移動につれて、前記第二パネルをその上端部が筐体の後方に向かうよう回転させるための前記第二パネルと前記スライダとに連結したアーム機構（７）を有していることを特徴とする電子機器。
【請求項２】
前記スライダが前記筐体から最も前方に移動したときに、前記第一パネルの操作部の面と第二パネルの表示部の面はほぼ平らな状態に展開されることを特徴とする請求項１に記載の電子機器。
【請求項３】
前記第一パネルの操作部には複数の操作ボタンが設置されており、該操作ボタンの１つは該スライダの移動指示を与えるものである請求項１に記載の電子機器。
【請求項４】
前記アーム機構は、前記第二パネルの上端部付近に回転自在に取り付けられたアームの先端部を、前記スライダが筐体の前方に移動するにつれて前記筐体内の上部から下部に向かって移動させる機構であることを特徴とする請求項１乃至請求項３の何れかに記載の電子機器。
【請求項５】
前記第二パネルの上端部が前記筐体の後方に向かうように回転したときに、前記筐体とこの第二パネルの上端部との間に生じる間隙を通して記録媒体を出し入れするための記録媒体出入口を有する機器本体が、前記第二パネルより後方に前記筐体内に収納されていることを特徴とする請求項１乃至請求項４の何れかに記載の電子機器。
【請求項６】
前記スライダには、前記スライダが前記筐体の前方に移動したときに、前記第一パネル及び前記第二パネルの回転角度を調節するためのパネル角度調節手段が設けられていることを特徴とする請求項１乃至請求項５の何れかに記載の電子機器。
【請求項７】
前記第一パネルのパネル角度調節手段は、前記スライダに取り付けられた駆動部により前記第一パネルの下端部の回転軸を回転させる機構であり、
前記第二パネルのパネル角度調節手段は、前記第二パネルの上端部付近に回転自在に取り付けられたアームの先端部を、前記スライダが筐体の前方に移動するにつれて前記筐体内の上部から下部に向かって移動させる機構であることを特徴とする請求項４乃至請求項６の何れかに記載の電子機器。
【請求項８】
前記第一パネルの回転角度は上下方向に起立した位置からほぼ１８０°の範囲内において調節することができ、また、前記第二パネルの回転角度は上下方向に起立した位置からほぼ９０°の範囲内において調節することができることを特徴とする請求項７に記載の電子機器。
【請求項９】
前記パネルカバーは、前記第一パネルに対して着脱可能に取り付けられていることを特徴とする請求項１乃至請求項８の何れかに記載の電子機器。
【国際調査報告】
2004024509.tif 000007
2004024509.tif 000008
2004024509.tif 000009
2004024509.tif 000010